(57)【要約】  【解決手段】中二階タイプの電気コネクタの好ましい実施例は、第１回路サブストレートに設置するための第１コネクタ半片を有する。この第１コネクタ半片は、第１コネクタ本体と、前記第１回路サブストレートの複数の配置から電力を導くための前記第１コネクタ本体内に設置された第１電気導電性部材とを有する。また、好ましい実施例は、第２回路サブストレートに設置し、かつ前記第１コネクタ半片と結合するための第２コネクタ半片を有する。この第２コネクタ半片は、第２コネクタ本体と、前記第２回路サブストレートにおける複数の位置に電力を導くための前記第２コネクタ本体内に設置された第２電気導電性部材とを有する。前記第２電力接点ストリプは、前記第１および第２コネクタ半片が結合されるときに、前記第１電力接点ストリップと接触する。【選択図】図２
2007500415.tif 000002
【特許請求の範囲】
【請求項１】
第１回路サブストレートに設置するための第１コネクタ半片であって、この第１コネクタ半片は、第１コネクタ本体と、電力を導くための第１コネクタ本体内に形成されたスロット内に設置された第１電気導電性部材とを有し、前記第１電気導電性部材は、本体部分と、前記第１回路サブストレートにおける複数の位置に電気的かつ機械的に前記第１電気導電性部材を連結するために、前記本体部分に電気的かつ機械的に連結された取付け機構と、前記本体部分に電気的かつ機械的に連結された結合する機構とを有するものと、第２回路サブストレートに設置するための、さらには前記第１コネクタ半片と結合するための第２コネクタ半片であって、この第２コネクタ半片は、第２コネクタ本体と、電力を導くための前記第２コネクタ本体内に形成されたスロット内に設置された第２電気導電性部材とを有し、この第２電気導電性部材は、本体部分と、前記第２回路サブストレートにおける複数の位置に、電気的かつ機械的に前記第２電気導電性部材を連結するための、前記本体部分に電気的かつ機械的に連結された取付け機構と、前記本体部分に電気的かつ機械的に連結された結合される機構とを有し、前記第１および第２コネクタ半片が結合されるときに、第２電気導電性部材の結合する機構は、前記第１電気導電性部材の結合する機構と係合するものと、を有する中二階タイプの電気コネクタ。
【請求項２】
前記第１電気導電性部材の取付け機構は、取付けタブの第１の複数を有し、前記第１電気導電性部材の前記係合する機構は、複数の結合するタブを有し、前記第１電気導電性部材の前記取付け機構は、取付けタブの第２の複数を有し、さらに、前記第２電気導電性部材の結合する機構は、接点ブレードを有する、前記請求項1記載の電気コネクタ。
【請求項３】
前記取付けタブの第１の複数と前記結合するタブの複数は、取付けタブの第１複数の各々が前記複数の結合するタブの各々からオフセットされるように、互い違いにされた配置における前記第１電気導電性部材の本体部分に機械的に連結される前記請求項２記載の電気コネクタ。
【請求項４】
前記第１および第２電気導電性部材の本体部分は、各々、その中に形成される複数のスロットを有する前記請求項２記載の電気コネクタ。
【請求項５】
第１コネクタ半片は、さらに電気信号を導くための前記第１コネクタ本体内に設置された信号接点の第１の複数を有し、前記第２コネクタ半片は、さらに電気信号を導くための第２コネクタ本体内に設置された信号接点の第２の複数を有し、さらに、信号接点の前記第１の複数の各々は、前記第１および第２コネクタ半片が結合されるときに、前記第２の複数のそれぞれの１つと結合する前記請求項１記載の電気コネクタ。
【請求項６】
前記第２コネクタ本体は、誘電材料から形成され、第２電気導電性部材と信号接点の第２の複数との間に位置された障壁を有し、さらに、前記第１コネクタ本体は、前記第１および第２コネクタ半片とが結合されるときに前記障壁を受けるためのそこに形成された凹所を有する、前記請求項５記載の電気コネクタ。
【請求項７】
前記第１コネクタ半片は、前記第１電気導電性部材のうちの３つを有し、さらに前記第２コネクタ半片は、第２電気導電性部材のうちの３つを有する前記請求項１記載の電気コネクタ。
【請求項８】
前記第２コネクタ半片は、前記第２電気導電性部材のうちの３つを有し、前記第２コネクタ本体は、誘電材料から形成された複数の障壁を有し、この複数の障壁の少なくとも1つは、前記第２電気導電性部材の隣接したものの間に位置され、さらに、前記複数の障壁の少なくとも1つは、前記第２電気導電性部材の１つと前記信号接点の第２の複数との間に位置される前記請求項５記載の電気コネクタ。
【請求項９】
前記スロットを規定する第１コネクタ本体の表面は、それに形成された複数の突起を有し、この突起は、その突起のそれぞれが、前記第１電気導電性部材の本体部分が前記取付けタブの第１の複数のそれぞれの1つおよび結合するタブのそれぞれの1つに隣接する第１電気導電部材の前記本体部分における配置間の位置で、前記第１電気導電部材の本体部分と接触するように位置されている前記請求項３記載の電気コネクタ。
【請求項１０】
前記結合するタブの総数は、前記取付けタブの第１の複数の総数より少ないものである前記請求項２記載の電気コネクタ。
【請求項１１】
前記第１コネクタ半片は、さらに、前記第１回路サブストレートにおける複数の位置に取付けタブの第１の複数を電気的かつ機械的に連結するための、前記取付けタブの第１複数のそれぞれの1つに各々固定されている可溶要素の第１の複数を有し、さらに、第２のコネクタ半片は、第２回路サブストレートにおける複数の位置に取付けタブの第２の複数を電気的かつ機械的に連結するための、前記取付けタブの第２複数のそれぞれの1つに各々固定されている可溶要素の第２の複数を有する前記請求項２記載の電気コネクタ。
【請求項１２】
前記複数の結合するタブの隣接するものが、前記第１および第２コネクタ半片が結合されるときに、前記接点ブレードの反対側と係合する前記請求項２記載の電気コネクタ。
【請求項１３】
前記第１回路サブストレートに設置するためのレセプタクルであって、このレセプタクルは、レセプタクル本体と、前記第１回路サブストレートにおける電気的接触点の第１の複数と電気的に接触し電力を導くための前記レセプタクル本体内に設置された第１電力接点ストリップと、第１回路サブストレートにおける電気的接触点の第２の複数と電気的に接触し電気信号を導くためのレセプタクル本体内に設置する信号接点の第１の複数とを有するものと、前記第２回路サブストレートに設置し、前記レセプタクルと結合するプラグであって、このプラグは、プラグ本体と、前記第２回路サブストレートにおける電気的接触点の第１の複数と電気的に接触し電力を導くためのプラグ本体内に設置された第２電力接点ストリップと、前記第２回路サブストレートにおける電気的接触点の第２の複数と電気的に接触し電気信号を導くための前記プラグ本体内に設置された信号接点の第２の複数とを有するものであり、前記第１電力接点ストリップは、前記第２電力接点ストリップと接触し、さらに、前記信号接点の第１の複数の各々は、前記レセプタクルとプラグとが結合されるときに、前記信号接点の第２の複数のそれぞれのものと接触する、第１および第２回路サブストレートと電気的に連結するためのコネクタシステム。
【請求項１４】
前記第１電力接点ストリップは、前記本体部分と、この本体部分に隣接する複数の結合するタブと、電気的接触点の第１の複数と電気的に接触するための前記本体部分に隣接する取付けタブの第１の複数とを有し、さらに、前記第２電力接点ストリップは、本体部分と、前記レセプタクルおよびプラグが結合されるときに複数の係合するタブと係合するための第２電力接点ストリップの本体部分に隣接する接点ブレードと、前記電気的接触点の第２の複数と電気的に接触するための前記第２電力接点ストリップの本体部分に隣接する取付けタブの第２の複数とを有する前記請求項１３記載のシステム。
【請求項１５】
前記レセプタクルおよびプラグ本体のうちの一方は、誘電材料から形成され、前記第１および第２電気導電性部材のうちの一方と前記信号接点の第１および第２の複数のうちの一方との間に位置された障壁を有し、さらに、前記レセプタクルとプラグ本体の他方は、前記レセプタクルおよびプラグが結合するときに、前記障壁を受けるためのそこに形成された凹所を有する前記請求項１３記載のシステム。
【請求項１６】
前記取付けタブの第1の複数および結合するタブの複数は、前記取付けタブの第１の複数の各々が、複数の結合するタブのそれぞれからオフセットされるように、互い違いの配置における第１電力接点ストリップの本体部分に機械的に連結される請求項１４記載のシステム。
【請求項１７】
前記第１および第２電気導電性部材の本体部分は、各々、そこに形成された複数のスロットを有する前記請求項１４記載のシステム。
【請求項１８】
第１回路サブストレートに設置し、かつ、レセプタクル本体と電力を導くためのレセプタクル本体内に形成されたスロット内に設置された第１電力接点ストリップとを有するためのレセプタクルであって、前記第１電力接点ストリップは、本体部分と、第１回路サブストレートにおけるそれぞれの電気的接続パッドに電気的かつ機械的に連結されるための本体部分に隣接する複数の取付けタブと、前記本体部分に隣接する複数の結合するタブとを有するものと、第２回路サブストレートに設置し、前記レセプタクルと結合するためのプラグであって、このプラグは、プラグ本体と、電力を導くための前記プラグ本体内に形成されたスロット内に設置された第２電力接点ストリップとを有し、この第２電力接点ストリップは、本体部分と、第２回路サブストレートにおけるそれぞれの電気的接続パッドに電気的かつ機械的に連結されるための前記第２電力接点ストリップの本体部分に隣接する複数の取付けタブとを有し、かつ、前記第２電力接点ストリップの本体部分に隣接する接点ブレードとを有し、前記結合するタブは、前記プラグとレセプタクルが結合されるときに、前記接点ブレードと係合するものとを有する第１および第２回路サブストレートを電気的に連結するためコネクタシステム。
【請求項１９】
前記第１電力接点ストリップの取付けタブおよび結合するタブは、前記第１電力接点ストリップの取付けタブの各々が前記結合するタブの各々からオフセットされるように、互い違いにされた配置における前記第１電力接点ストリップの本体部分に機械的に連結される前記請求項１８記載のコネクタシステム。
【請求項２０】
前記第１および第２電力接点ストリップの本体部分は、それぞれ、その中に形成された複数のスロットを有する前記請求項１８記載のコネクタシステム。
【請求項２１】
前記レセプタクルは、さらに、電気信号を導くためのレセプタクル本体内に設置された信号接点の第１の複数を有し、前記プラグは、さらに、電気信号を導くための前記プラグ本体内に設置された信号接点の第２の複数を有し、かつ、前記信号接点の第１の複数のそれぞれは、前記レセプタクルとプラグとが結合されるときに、前記信号接点の第２の複数のうちの各1つと接触する前記請求項１８記載のコネクタシステム。
【請求項２２】
前記レセプタクルとプラグ本体とのうちの一方は、誘電材料から形成され、第１および第２電力接点ストリップのうちの一方と前記信号接点の第１および第２の複数のうちの一方との間に位置された障壁を有し、かつ、前記レセプタクルとプラグとのうちの他方は、前記レセプタクルとプラグとが結合されるときに、前記障壁を受けるためのそこに形成された凹所を有する前記請求項２１記載のコネクタシステム。
【請求項２３】
前記レセプタクルは、前記第１電力接点ストリップのうちの３つを有し、かつ、前記プラグは、前記第２電力接点ストリップのうちの３つを有する前記請求項１８記載のコネクタシステム。
【請求項２４】
前記スロットを規定する前記レセプタクル本体の表面は、そこに形成された複数の突起を有し、この突起は、その突起のそれぞれが、前記第１電力接点ストリップの本体部分がこの第１電力接点ストリップの取付けタブのそれぞれの1つおよび結合するタブのそれぞれの1つに隣接する前記第１電力接点ストリップの本体部分における配置の間の位置で、第１電力接点ストリップの本体部分と接触するように位置される前記請求項１９記載のコネクタシステム。
【請求項２５】
前記レセプタクルは、さらに、前記第１電力接点ストリップの複数の取付けタブを前記第１回路サブストレートにおける各々の電気的接続パッドに電気的かつ機械的に連結するための、前記第１電力接点ストリップの取付けタブの複数の各々の1つに各々固定されている可溶要素の第１の複数を有し、かつ、前記プラグは、さらに、前記第２電力接点ストリップの複数の取付けタブを前記第２回路サブストレートにおける各々の電気的接続パッドに電気的かつ機械的に連結するための、前記第２電力接点ストリップの複数の取付けタブの各々の1つに各々固定されている可溶要素の第２の複数を有する前記請求項１８記載のコネクタシステム。
【請求項２６】
前記複数の結合するタブの隣接するものは、前記レセプタクルとプラグとが結合されるときに、前記接点ブレードの反対側と係合する前記請求項１８記載のコネクタシステム。
【請求項２７】
前記結合するタブの総数は、前記第１電力接点ストリップの複数の取付けタブの総数よりも少ないものである前記請求項１８記載のコネクタシステム。
【請求項２８】
第１回路サブストレートに設置するための第１コネクタ半片であって、この第１コネクタ半片は、第１コネクタ本体と、第１回路サブストレートにおける複数の位置からの電力を導くための第１コネクタ本体内に設置された第１電気導電性部材とを有するものと、第２回路サブストレートに設置され、前記第１コネクタ半片と結合するための第２コネクタ半片であって、この第２コネクタ半片は、第２コネクタ本体と、第２回路サブストレートにおける複数の位置に電力を導くための第２コネクタ本体内に設置された第２電気導電性部材とを有し、前記第２電力接点ストリップは、前記第１および第２コネクタ半片が結合されるときに、前記第１電力接点ストリップと接触するものとを有する中二階タイプの電気コネクタ。
【請求項２９】
前記第１コネクタ半片は、さらに、電気信号を導くための第１コネクタ本体内に設置された信号接点の第１の複数を有し、前記第２コネクタ半片は、さらに、電気信号を導くための第２コネクタ本体内に設置された信号接点の第２の複数を有し、かつ、信号接点の第１の複数の各々は、前記第１および第２コネクタ半片が結合されるときに、前記信号接点の第２の複数のうちの各１つと接触する前記請求項２８記載の電気コネクタ。
【請求項３０】
前記第１電気導電性部材は、本体部分と、この本体部分に隣接する結合する複数のタブと、前記第１回路サブストレートにおける複数の位置と電気的に接触するための前記本体部分に隣接する取付けタブの第１の複数とを有し、かつ、前記第２電気導電性部材は、本体部分と、第１および第２コネクタ半片が結合されるときに前記複数の結合するタブと係合するための第２電力接点ストリップの前記本体部分に隣接する接点ブレードと、さらには第２回路サブストレートにおける複数の位置と電気的に接触するための前記第２電力接点ストリップの本体部分に隣接する取付けタブの第２の複数とを有する前記請求項２８記載の電気コネクタ。
【請求項３１】
前記第１および第２コネクタ本体のうちの一方は、誘電材料から形成され、前記第１および第２電気導電性部材のうちの一方と、前記信号接点の第１および第２の複数のうちの一方との間に位置した障壁を有し、さらに、前記第１および第２コネクタ本体のうちの他方は、前記第１および第２コネクタ半片が結合されるときに、前記障壁を受けるためのそこに形成された凹所を有する前記請求項２９記載の電気コネクタ。
【請求項３２】
前記取付けタブの第１の複数および結合するタブの複数は、前記取付けタブの第１の複数の各々が前記結合するタブの複数の各々からオフセットされるように、互い違いの配置で前記第１電気導電性部材の本体部分に機械的に連結される前記請求項３０記載の電気コネクタ。
【請求項３３】
第１および第２電気導電性部材の本体部分は、それぞれ、そこに形成された複数のスロットを有する前記請求項３０記載の電気コネクタ。
【請求項３４】
第１回路サブストレート内に設置された第１コネクタ前半であって、この第１コネクタ半片は、第１コネクタ本体およびこの第１コネクタ本体内に設置された第１電力接点ストリップを有し、前記それぞれの複数のタブと前記それぞれの電気接続パッドと間に形成されたはんだ接続経由で前記第１回路サブストレートにおけるそれぞれの電気接続パッドから電力を導くための複数のタブを有するものと、前記第１コネクタ半片と結合するための第２回路サブストレート内に設置された第２コネクタ半片であって、この第２コネクタ半片は、第２コネクタ本体およびこの第２コネクタ本体内に設置された第２電力接点ストリップを有し、さらに、前記第２電力接点ストリップのそれぞれの複数のタブと前記第２回路サブストレートにおける前記それぞれの電気接続パッドとの間に形成されたはんだ接続経由で前記第２回路サブストレートにおけるそれぞれの電気接続パッドに電力を導くための複数のタブを有し、前記第２電力接点ストリップは、前記第１および第２コネクタ半片が結合されるときに、前記第１電力接点ストリップと接触するものとを有する中二階タイプの電気コネクタ。
【請求項３５】
第１回路サブストレートと、第２回路サブストレートと、電気コネクタシステムとを有し、この電気コネクタシステムは、前記第１回路サブストレート内に設置された第１コネクタ半片であって、この第１コネクタ半片は、第１コネクタ本体およびこの第１コネクタ本体内に設置された第１電力接点ストリップを有し、さらに、前記それぞれの複数のタブと前記それぞれの電気接続パッドとの間に形成されたはんだ接続を経由して前記第１回路サブストレートにおけるそれぞれの電気接続パッドから電力を導くための複数のタブを有するものと、前記第１コネクタ半片と結合するための前記第２回路サブストレート内に設置された第２コネクタ半片であって、この第２コネクタ半片は、第２コネクタ本体およびこの第２コネクタ本体内に設置された第２電力接点ストリップを有し、さらに、前記第２電力接点ストリップのそれぞれの複数のタブと前記第２回路サブストレートにおける前記それぞれの電気接続パッドとの間に形成されたはんだ接続を経由して第２回路サブストレートにおけるそれぞれの電気接続パッドに電力を導くための複数のタブを有し、前記第２電力接点ストリップは、前記第１および第２コネクタ半片が結合されるときに、前記第１電力接点ストリップと接触するものとを有する電気装置。
【請求項３６】
それぞれ複数の結合する前記タブは、前記第１電気導電性部材の本体部分にそれぞれ隣接する第１および第２ビーム部分と、この第１および第２ビーム部分に隣接するタブ部分とを有する前記請求項２記載の電気コネクタ。
【請求項３７】
それぞれ複数の結合する前記タブは、前記第１電力接点タブの本体部分に各々隣接する第１および第２ビーム部分と、この第１および第２ビーム部分に隣接するタブ部分とを有する前記請求項１８記載の電気コネクタ。
【発明の詳細な説明】
【技術分野】
【０００１】
この発明は、電気コネクタに係り、より特別には、中二階タイプの電気コネクタに関する。
【０００２】
この発明は、２００３年７月２４日に出願された米国出願番号１０／６２６２９５の優先権を主張する。
【背景技術】
【０００３】
中二階タイプの電気コネクタは、電気的に第1および第２回路サブストレートを連結するために代表的に使用される。従来の中二階タイプのコネクタは、第１回路サブストレートに設置するためのプラグと、第２回路サブストレートに設置するためのレセプタクルとを有することができる。このプラグは、プラグとレセプタクルとが結合され、それによって、第１および第２回路サブストレート間の電気的な接触を確立するときに、レセプタクルにおける各々対応する接点と係合する複数の接点を有する。
【０００４】
プラグとレセプタクルにおける個々の電気接点は、電気信号または択一的に電力を導くために使用される。電気信号を導くために使用される接点は、通常「信号接点」として引用され、電気信号を導くために使用される接点は、通常「電力接点」として引用される。
【発明の開示】
【発明が解決しようとする課題】
【０００５】
中二階タイプのコネクタによって導くことができる電力の量は、通常、電力接点の構成、例えば、電力接点の全体の数、寸法、形、密度などによって制限されている。電力接点を過度の電力入力にさらすことは、電力接点およびコネクタの周囲の構成を過熱し、破損することがあり得る。可能性ある過熱の問題は、比較的多い現代の中二階タイプのコネクタの電力接点がパッケージされる高密度によって、悪化させられる。
【課題を解決するための手段】
【０００６】
中二階タイプの電気コネクタの好ましい実施例は、第１回路サブストレートに設置するための第１コネクタ半片を有する。この第１コネクタ半片は、第１コネクタ本体と、電力を導くための第１コネクタ本体内に形成されたスロット内に設置された第１電気導電性部材とを有する。第１電気導電性部材は、本体部分と、第１回路サブストレートにおける複数の位置に、電気的かつ機械的に第１電気導電性部材を連結するための本体部分に電気的にかつ機械的に連結された取付け機構と、本体部分に電気的かつ機械的に連結される結合する機構とを有する。
【０００７】
好ましい実施例は、さらに、第２回路サブストレートに設置するための、さらには、第１コネクタ半片と結合するための、第２コネクタ半片を有する。第２コネクタ半片は、第２コネクタ本体と、電力を導くための第２コネクタ本体内に形成されたスロット内に設置された第２電気導電性部材とを有する。第２電気導電性部材は、本体部分と、第２回路サブストレートにおける複数の位置に、電気的かつ機械的に第２電気導電性部材を連結するための、第２電気導電性部材の本体部分に電気的かつ機械的に連結された取付け機構と、第２電気導電性部材の前記本体部分に電気的かつ機械的に連結された結合する機構とを有する。第２電気導電性部材の結合する機構は、第１および第２コネクタ半片が結合されるときに、第１電気導電性部材の結合する機構と係合する。
【０００８】
第１および第２回路サブストレートを電気的に連結するためのコネクタシステムの好ましい実施例は、第１回路サブストレートに設置するためのレセプタクルを有する。このレセプタクルは、レセプタクル本体と、第１回路サブストレートにおいて第1の複数の電気接触点と電気的に接触するとともに電力を導くためのレセプタクル本体内に設置された第１電力接点ストリップと、第１回路サブストレートにおける第２の複数の電気的接触点に電気的に接触するとともに電気信号を導くためのレセプタクル本体内に設置される第１の複数の信号接点とを有する。
【０００９】
好ましい実施例は、さらに、第２回路サブストレートに設置され、レセプタクルと結合するためのプラグを有する。このプラグは、プラグ本体と、第２回路サブストレートにおける電気的接触点の第１の複数と電気的に接触するとともに電力を導くためのプラグ本体内に設置される第２電力接点ストリップと、第２回路サブストレートにおける電気的接触点の第２の複数と電気的に接触するとともに電気信号を導くためのプラグ本体内に設置された第２の複数の信号接点とを有する。第１電力接点ストリップは、第２電力接点ストリップと接触し、また、第１の複数の信号接点の各々は、レセプタクルとプラグとが結合されるときに、第２の複数の信号接点それぞれの1つと接触する。
【００１０】
第１および第２回路サブストレートを電気的に連結するためのコネクタシステムの他の好ましい実施例は、第１回路サブストレートに設置するとともに、レセプタクル本体と、電力を導くためのレセプタクル本体内に形成されたスロット内に設置された第１電力接点ストリップとを有する第１および第２回路サブストレートを電気的に結合するためのレセプタクルを有する。第１電力接点ストリップは、本体部分と、第１回路サブストレートにおけるそれぞれの電気接続パッドに電気的かつ機械的に連結するための本体部分に隣接する複数の取付けタブと、本体部分に隣接する複数の結合するタブとを有する。
【００１１】
好ましい実施例は、また、第２回路サブストレートに設置するための、さらにはレセプタクルと結合するためのプラグを有する。このプラグは、プラグ本体と、電力を導くためのプラグ本体内に形成されたスロット内に設置された第２電力接点ストリップとを有する。前記第２電力接点ストリップは、本体部分と、第２回路サブストレートにおけるそれぞれの電気接続パッドに電気的かつ機械的に連結するための第２電力接点ストリップの本体部分に隣接する複数の取付けタブと、第２電力接点ストリップの本体部分に隣接する接点ブレードとを有する。結合するタブは、プラグおよびレセプタクルが結合されるときに、接点ブレードと係合する。
【００１２】
中二階タイプの電気コネクタの別の好ましい実施例は、第１回路サブストレートに設置するための第１コネクタ半片を有する。この第１のコネクタ半片は、第１コネクタ本体と、前記第１回路サブストレートにおける複数の位置から電力を導くための第１コネクタ本体内に設置された第１電気導電性部材とを有する。
【００１３】
好ましい実施例は、さらに、第２回路サブストレートに設置されるとともに、前記第１コネクタ半片と結合するための第２コネクタ半片を有する。第２コネクタ半片は、第２コネクタ本体と、第２回路サブストレートにおける複数の位置へ電力を導くために、第２コネクタ本体内に設置された第２電気導電性部材を有する。第２電力接点ストリップは、第１および第２コネクタ半片が結合されるときに、第１電力接点ストリップと接触する。
【００１４】
中二階タイプの電気コネクタの他の好ましい実施例は、第１回路サブストレート内に設置される第１コネクタ半片を有する。この第１コネクタ半片は、第１コネクタ本体と、第１コネクタ本体内に設置され、複数のタブの各々とそれぞれの電気接続パッドとの間に形成されたはんだ接続経由、第１回路サブストレートにおけるそれぞれの電気接続パッドからの電力を導くための複数のタブを有する第１電力接点ストリップとを有する。
【００１５】
好ましい実施例は、さらに、第１コネクタ半片と結合するための第２回路サブストレート内に設置された第２コネクタ半片を有する。第２コネクタ半片は、第２コネクタ本体と、第２コネクタ本体内に設置され、第２電力接点ストリップの複数のタブの各々と第２回路サブストレートにおけるそれぞれの電気接続パッドとの間に形成されたはんだ接続によって第２回路サブストレートにおけるそれぞれの電気接続パッドに電力を導くための複数のタブを有する第２電力接点ストリップとを有する。第２電力接点ストリップは、第１および第２コネクタ半片が結合されるときに、第１電力接点ストリップと接触する。
【００１６】
電気装置の好ましい実施例は、第１回路サブストレートと、第２回路サブストレートと、電気コネクタシステムとを有する。電気コネクタシステムは、第１回路サブストレート内に設置された第１コネクタ半片を有する。第１コネクタ半片は、第１コネクタ本体と、第１コネクタ本体内に設置され、複数のタブの各々とそれぞれの電気接続パッドとの間に形成されたはんだ接続経由で第１回路サブストレートにおけるそれぞれの電気接続パッドから電力を導くための複数のタブを有する第１電力接点ストリップとを有する。
【００１７】
好ましい実施例の電気コネクタシステムは、さらに、第１コネクタ半片と結合するための第２回路サブストレート内に設置された第２コネクタ半片を有する。第２コネクタ半片は、第２コネクタ本体と、第２コネクタ本体内に設置され、第２電力接点ストリップの複数のタブの各々と第２回路サブストレートにおけるそれぞれの電気的な接続パッドとの間に形成されたはんだ接続経由で第２回路サブストレートにおけるそれぞれの電気接続パッドに電力を導くための複数のタブを有する第２電力接点ストリップとを有する。第２電力接点ストリップは、第１および第2コネクタ半片が結合されるときに、第１電力接点ストリップと接触する。
【００１８】
先行する要約も、付属する図面とともに読まれたときに、間もなく、好ましい実施例の以下に続く詳細な説明と同様に一層よく理解される。この発明を例証する目的で、図面は、現在の好ましい実施例を示している。しかしながら、その発明は、図面に開示された特定の手段に限定されない。
【発明を実施するための最良の形態】
【００１９】
図１から９は、プリント回路基板（ＰＣＢ）１２および第２ＰＣＢ１４のような、第１および第２回路サブストレートを電気的に連結するための中二階タイプの電気コネクタ１０を描いている。注目されるべきは、ＰＣＢ１２および１４と関連する電気コネクタ１０の使用が、代表的な目的のためだけに開示されることである。電気コネクタ１０は、他のタイプの回路サブストレートを電気的に連結するために使用することができる。
【００２０】
電気コネクタ１０は、第１コネクタ半片と、この第１コネクタ半片と結合するための第２コネクタ半片とを有する。第１コネクタ半片は、例えば、レセプタクル１６となり得、さらに、第２コネクタ半片は、例えば、プラグ１８になり得る。
【００２１】
レセプタクル１６は、好ましくは、はんだボール２０ａ(図６および９参照)のような可溶要素のアレイを有する。レセプタクル１６は、第１ＰＣＢ１２において、電気接続パッド１９のような対応する電気接続点と各はんだボール２０ａを整列させて、はんだボール２０ａをリフローすることにより、第１ＰＣＢ１２に設置することができる。(電気接続パッド１９は、図1において概略的に描かれている。)
プラグ１８は、はんだボール２０ｂ（図６および８参照）のような可溶要素のアレイを有する。プラグ１８は、電気接続パッド２１のような対応する電気接続点と各はんだボール２０ｂを整列させて、はんだボール２０ｂをリフローすることにより、第２ＰＣＢ１４に設置することができる。(電気接続パッド２１は、図１において概略的に描かれている。)
注目されるべきことは、レセプタクル１６およびプラグ１８用の上述の設置する構成の使用が、代表的な目的のためだけに記述されることである。他のタイプの設置構成は、はんだボール２０ａ、２０ｂのような可溶要素を組込まない設置構成を有する代りの実施例において使用することができる。
【００２２】
レセプタクル１６は、適切な誘電材料（図２、３、６および９参照）から形成されたレセプタクル本体２２を有する。このレセプタクル本体２２は、そこに形成された複数の凹所２６を有する主表面２２ａを有する(図６および９参照)。各凹所２６は、また、それぞれのはんだボール２０ａの一部分を収容する。レセプタクル１６は、さらに、複数の電気導電性の信号接点２４（図９参照）を有する。
【００２３】
信号接点は、レセプタクル本体２２に設置され、それを介して延びる。信号接点２４は、その中にこの信号接点２４の４０個を有するそれぞれ６列に、さらに、その中にこの信号接点２４の２８個を有するそれぞれ４列に配置される（図２参照）。
【００２４】
各信号接点２４は、ほぼ平坦な設置部分２４ａ、および、設置部分２４ａ(図９参照)に隣接する第１および第２接点ビーム２４ｂ、２４ｃを有する。各信号接点２４は、また、設置部分２４ａに隣接する取付けタブ２４ｄを有する。設置部分２４ａと、第１および第２接点ビーム２４ｂ、２４ｃと、取付けタブ２４ｄとは、好ましくは、単一のベースに形成される。
【００２５】
図９に示されるように、信号接点２４は、各々レセプタクル本体２２に設置される。より特別には、各信号接点２４の本体部分２４ａは、第１および第２接点ビーム２４ｂ、２４ｃがレセプタクル本体２２（図９の斜視図から）から上方に延びるように、本体内に設置され、取付けタブ２４ｄは、凹所２６の対応する１つ内に位置される。取付けタブ２４ｄは、はんだボール２０ａのそれぞれの1つに溶合される。このはんだボール２０ａは、レセプタクル１６が第１ＰＣＢ１２に設置される前に、レセプタクル本体２２内に接点２４を保持するのを支援する。
【００２６】
プラグ１８は、適切な誘電材料から形成されたプラグ本体２８を有する(図１、４、５、６および８参照)。プラグ本体２８は、そこに形成された複数の凹所３０を有する主表面２８ａを有する(図６および８参照)。各凹所３０は、それぞれのはんだボール２０ｂの一部分を収容する。プラグ１８は、また、複数の電気導電性の信号接点３２を有する(図８参照)。信号接点３２は、本体３２に設置され、それを介して延びる。信号接点３２は、その中に信号接点３２の４０個が各々６列に、さらには、その中に信号接点３２の２８個を有する各々４列に配置される（図４参照）。
【００２７】
信号接点３２は、以下に説明されるように、レセプタクル１６およびプラグ１８が結合されるときに、それぞれ、対応する信号接点２４と係合する。各々の対応するペアの信号接点２４および３２は、レセプタクル１６およびプラグ１８が結合されるときに、第１および第２ＰＣＢ間に電気信号を導く。
【００２８】
各信号接点３２は、ほぼ平坦な設置部分３２ａと、この設置部分３２ａに隣接するほぼ平坦な設置部分３２ｂを有する(図８参照)。各信号接点３２は、またそれぞれ、設置部分３２ａに隣接する取付けタブ３２ｃを有する。中央部分３２ａと、結合する部分３２ｂと、取付けタブ３２ｃとは、好ましくは、単一のベースに形成される。
【００２９】
信号接点３２は、各々プラグ本体２８に設置される。より特別には、各信号接点３２の本体部分３２ａは、設置部分３２ｂがプラグ本体２８（図８の斜視図から）から上方に延びるように、プラグ本体２８内に設置され、取付けタブ３２ｃは、凹所３０の対応する１つ内に位置される。取付けタブ３２ｃは、はんだボール２０ｂのそれぞれの1つに溶合される。このはんだボール２０ｂは、プラグ１８が第２ＰＣＢ１４に設置される前に、プラグ本体２８内に信号接点３２を保持するのを支援する。
【００３０】
レセプタクル１６のレセプタクル本体２２は、それに形成された結合する機構２２ｂを有し、さらに、プラグ１８のプラグ本体２８は、それに形成された結合する機構２８ｂを有する（図２-６参照）。結合する機構２２ｂ、２８ｂは、補完的である。換言すれば、レセプタクル本体２２における各結合する機構２２ｂは、レセプタクル１６およびプラグ１８をそれについて結合する間に適切な整列に維持するために、プラグ本体２８における対応する結合する機構２８ｂと係合する。
【００３１】
前に注記されたように、レセプタクル１６およびプラグ１８が結合するときに、各信号接点２４は、それぞれの信号接点３２と係合する。さらに特別には、レセプタクル１６およびプラグ１８は、各信号接点２４が、レセプタクル１６およびプラグ１８の結合の間に対応する信号接点３２とほぼ整列するように形成される。
【００３２】
レセプタクル１６およびプラグ１８の結合の間に、信号接点３２に対する信号接点２４の相対的移動は、第１および第２接点ビーム２４ｂ、２４ｃが、結合する部分３２ｂの反対側と係合するようにする。
【００３３】
さらに、信号接点３２に対する信号接点２４の相対的な移動は、結合する部分３２ｂが、第１および第２接点ビーム２４ｂ、２４ｃ間に配置されるようにする。第１および第２接点ビーム２４ｂ、２４ｃ間の結合する部分３２ｂの挿入は、第１および第２接点ビーム２４ｂ、２４ｃが間に配置されるように、挿入の方向とほぼ直交する反対の方向に弾性的に偏倚する。
【００３４】
第１および第２の接点ビーム２４ｂ、２４ｃの弾性は、第１および第２接点ビーム２４ｂ、２４ｃを、結合する部分３２ｂに対して偏倚し、第１および第２接点ビーム２４ｂ、２４ｃが、レセプタクル１６およびプラグ１８が結合されながら結合する部分３２ｂをワイプするようにする。第１および第２接点ビーム２４ｂ、２４ｃの偏倚とワイピングとの効果は、信号接点２４、３２間の電気接続を強化することができる。
【００３５】
レセプタクル１６は、さらに、第１電気導電性部材を有し、かつ、プラグ１８は、さらに、第２電気導電性部材を有する。第１および第２電気導電性部材は、レセプタクル１６およびプラグ１８が結合されるときに、第１および第２ＰＣＢ１２、１４間に電力を導く。第１電導部材は、例えば、電力接点ストリップ３４であり得、さらには、第２電導部材は、例えば、電力接点ストリップ３６であり得る（図２−７参照）。
【００３６】
電力接点ストリップ３４は、好ましくは、ほぼ平坦な、かつ、拡張された本体部分３８を有する(図７参照)。電力接点ストリップ３４は、また、結合する機構および取付け機構を有する。結合する機構は、例えば、複数の結合するタブ３８であり得、さらに、取付け機構は、例えば、複数の取付けタブ４０であり得る。電力ストリップ３４は、４つの結合するタブ３８および５つの取付けタブ４０を有するように示されているが、これらの数は、代りの実施例において、電力ストリップ３４の電力取扱い容量を増加するために変えることができる。
【００３７】
本体部分３８と、結合するタブ３９と、取付けタブ４０とは、好ましくは、一体的に形成される。結合するタブ３９は、本体部分３８から上方に延び、取付けタブ４０は、本体部分３８から下方に延びる（図７の斜視図から）。結合するタブ３８および取付けタブ４０は、好ましくは、互い違いになっている。換言すれば、結合するタブ３８および取付けタブ４０は、図７に示されるように、結合するタブ３９が垂直方向に取付けタブ４０と整列しないように、オフセットされている。この機構の重要性は、以下に議論される。
【００３８】
各結合するタブ３９は、好ましくは、本体部分３８に隣接する第１および第２のビーム部分３９ａ、３９ｂと、第１および第２ビーム部分３９ａ、３９ｂに隣接するタブ部分３９ｃとを有する。この第１および第２ビーム部分３９ａ、３９ｂとタブ部分３９ｃは、好ましくは、図７に描かれるように湾曲している。隣接する結合タブ３９の方向は、ほぼ、逆である。換言すれば、第１および第２ビーム部分３９ａ、３９ｂと隣接する結合タブ３９のタブ部分３９ｃとは、ほぼ逆である。
【００３９】
電力接点ストリップ３４は、レセプタクル１６のレセプタクル本体２２に設置される。より特別には、本体部分３８は、結合するタブ３８がレセプタクル本体２２(図２および３の斜視図から)から上方に延びるように、レセプタクル本体２２(図３および６参照)に形成されたスロット４３に設置される。各取付けタブ４０は、それぞれ、レセプタクル本体２２内に形成されたスルーホール(図示せず)経由で、凹所２６のそれぞれの1つ内に延びる。はんだボール２０ａのそれぞれの1つは、取付けタブ４０の各々に溶合される。はんだボール２０ａは、レセプタクル１６が第１ＰＣＢ１２に設置される前に、スロット４３内に電力接点ストリップ３４を保持することを支援する。
【００４０】
各はんだボール２０ａは、それぞれ、第１ＰＣＢ１２における対応する電気接続パッド１９と整列され、かつ、リフローされて、対応する取付けタブ４０と電気接続パッド１９との間にはんだ接続を確立する。（はんだ接続５５は、図１に概略的に描かれている。）はんだ接続５５は、電力接点ストリップ３４と第１ＰＣＢ１２との間の電気的接触を確立し、第１ＰＣＢ１２にレセプタクル１６を保持することを支援する。
【００４１】
突起５３は、スロット４３を規定するレセプタクル本体２２の表面上に形成することができる(図６参照)。突起５３(スロット４３の各側に２つ)のうちの４つは、凹所２６の各々と協働しており、図６に示されるような協働する凹所２６からオフセットされる。突起５３は、取付けタブ４０に隣接する本体部分３８におけるそれぞれの領域の一方側にこのように位置される。この機構は、以下に詳細に説明されるように、はんだ接続５５における機械的ストレスを軽減すると確信される。
【００４２】
電力接点ストリップ３６は、好ましくは、本体部分４４を有する(図７参照)。
【００４３】
電力ストリップ３６は、また、結合する機構および取付け機構を有する。結合する機構は、例えば、接点ブレード４５であり得、さらに、取付け機構は、例えば、複数の取付けタブ４６であり得る。本体部分４４および接点ブレード４５は、各々図７に示されるように、ほぼ平坦な、かつ、拡張された構成を有する。本体部分４４と、接点ブレード４５と、取付けタブ４６とは、好ましくは、単一に形成される。接点ブレード４５は、本体部分４４から下方に延び、さらには、取付けタブ４６は、本体部分４４から上方に延びている(図７の斜視図から)。
【００４４】
電力接点ストリップ３６は、プラグ１８のプラグ本体２８に設置される。より特別には、本体部分４４は、接点ブレード４５がプラグ本体２８(図４および５の斜視図から)から上方に延びるように、プラグ本体２８(図５および６参照)内に形成されたスロット４９設置される。各取付けタブ４６は、レセプタクル本体２２内に形成されたスルーホール(図示せず)経由で、凹所２６のそれぞれの1つ内に延びる。はんだボール２０ｂのそれぞれの1つは、取付けタブ４６の各々に溶合される。ハンダボール２０ｂは、プラグ１８がＰＣＢ１４に設置される前に、電力接点ストリップ３６をスロット４９内に保持することを支援する。
【００４５】
各はんだボール２０ｂは、それぞれ、第２ＰＣＢ１６における対応する電気接続パッド２１と整列され、さらにリフローして、対応する取付けタブ４６および電気接続パッド２１間のはんだ接続５７を確立する。(はんだ接続５７は、図1に概略的に描かれている)。はんだ接続５７は、電力接点ストリップ３６と第２ＰＣＢ１４との間の電気的な接触を確立し、第２ＰＣＢ１４にプラグ１８を保持することを支援する。
【００４６】
突起５１は、スロット４９を規定するプラグ本体２８の表面に形成することができる(図６参照)。突起５１(スロット４９の各側の２つ)のうちの４つは、凹所３０の各々と協働し、さらに、図６に示されるように協働する凹所３０からオフセットされる。突起５１は、取付けタブ４８に隣接する本体部分４４におけるそれぞれの領域の一方側にこのように位置される。この構成は、以下に詳細に説明されるように、はんだ接続５７における機械的ストレスを減少すると確信される。
【００４７】
電力接点ストリップ３４、そして特別には結合するタブ３９は、電力接点ストリップ３６の接点ブレード４５を受けるレセプタクルとして作用する。より特別には、レセプタクル１６およびプラグ１８は、レセプタクル１６とプラグ１８が結合するときに、電力接点ストリップ３４の結合するタブ３９が、電力接点ストリップ３６の接点ブレード４５とほぼ整列されるように形成される。接点ブレード４５に向かう結合するタブ３９の相対的移動は、接点ブレード４５が、結合するタブ３９のタブ部分３９ｃと接触させる。
【００４８】
接点ブレード４５とタブ部分３９との間の接点は、接点ブレード４５に向かって結合するタブ３９の相対的移動と関連して、結合するタブ３９を弾性的に偏倚させる。隣接する結合するタブ３９の方向は、前に注記したように、ほぼ逆である。この構成は、隣接する結合するタブ３９を、接点ブレード４５の反対側と接触させる。さらに、隣接する結合タブ３９は、ほぼ反対の方向であって、レセプタクル１６とプラグ１８との間の相対的移動の方向とそれぞれほぼ直角に偏倚する。
【００４９】
第１および第２ビーム部分３９ａ、３９ｂの弾性は、接点ブレード４５に対してタブ部分３９ｃを偏倚して、タブ部分３９ｃにレセプタクル１６およびプラグ１８が結合しながら接点ブレード４５を拭かせる。結合するタブ３９の偏倚および拭く効果は、電力接点ストリップ３４、３６間の電気接続を強化することができる。
【００５０】
電力接点ストリップ３４における結合するタブ３８および取付けタブ４０は、前に議論されたように、好ましくは互い違いにされる。この構成は、取付けタブ４０における(およびそれに取付けられたはんだ接続５５における)機械的ストレスを本質的に減少すると確信される。より特別には、結合するタブ３９と接点ブレード４５との係合によって引き起こされた結合するタブ３９の弾力的な偏倚は、結合するタブ３９の下方に直接本体部分３８におけるストレスを引き起こすと確信される(図７の斜視図から)。換言すれば、結合するタブ３９の下方に直接位置される本体部分３８における領域は、高いストレス領域である。結合するタブ３９と取付けタブ４０との互い違いの配置は、取付けタブ４０をこれらの高いストレス領域から遠ざけて位置する。
【００５１】
取付けタブ４０における機械的ストレスを緩和することは、はんだ接続５５における機械的ストレスを減少することができ、したがって、はんだ接続５５の信頼性および耐用年数を増加することができる。
【００５２】
レセプタクル本体２２に形成された突起５３は、また、前に注記したように、はんだ接続５５におけるストレスを減少すると確信される。結合するタブ３９が接点ブレード４５と係合して偏倚するときに、突起５３は、本体部分３８を拘束する。突起５３は、以前に説明したように、取付けタブ４０に隣接する本体部分３８におけるそれぞれの領域の一方側に配置される。したがって、突起５３によって作用した拘束は、結合するタブ３９の弾性的偏倚に対応して取付けタブ４０近傍の本体部分３８の捻れを減少するか除去することができる。換言すれば、突起５３は、結合するタブ３９が、近接する取付けタブ４０、または、それに取付けられたはんだ接続５５における本質的なモーメント(さらには付随する機械的ストレス)を引き起こすことなしに、弾性的に偏倚することを可能にする。
【００５３】
プラグ本体２８において形成された突起５１は、突起５３に関して上述したそれにほぼ同様な方法で、はんだ接続５７における機械的ストレスを減少するか除去すると確信される。より特別には、突起５１は、接点ブレード４５と結合するタブ３９との結合に応じて電力接点ストリップ３６の本体部分４４が本質的に捻れるのを抑制し、そして、そのように捻れることの結果として、そうでなければはんだ接続５７において生じる機械的ストレスをそれによって緩和することができる。
【００５４】
プラグ１８のプラグ本体２８は、そのうえに形成された第１および第２障壁５０ａ、５０ｂを有することができる(図４および５参照)。この第１および第２障壁５０ａ、５０ｂは、電力接点ストリップ３６とこれに隣接した信号接点３２との間にほぼ位置される。第１および第２障壁５０ａ、５０ｂは、好ましくは、プラグ本体２８の残りと単一に形成される。
【００５５】
レセプタクル１６のレセプタクル本体２２は、それに形成された第１および第２凹所５２ａ、５２ｂを有することができる(図２および３参照)。第１および第２凹所５２ａ、５２ｂは、電力接点ストリップ３４とそれに隣接した信号接点２４との間にほぼ位置する。
【００５６】
第１凹所５２ａの形状は、第１障壁５０ａのそれとほぼ同様であり、また、第２凹所５２ｂの形状は、第２障壁５０ｂのそれとほぼ同様である。第１および第２凹所５２ａ、５２ｂは、レセプタクル１６およびプラグ１８が結合するときに、それぞれの第１および第２障壁５０ａ、５０ｂを受ける。
【００５７】
障壁５０ａ、５０ｂは、信号接点２４、３２を電力接点ストリップ３４、３５から電気的に分離する(または、さらに分離する)と確信される。このために、障壁５０a、５０ｂは、電力接点ストリップ３４、３６における比較的高い電圧のために、潜在的に信号接点２４、３２における信号低下Lを減少することができる。
【００５８】
(この構成は、特に利点があり、また、電力接点ストリップ３４、３６における電圧レベルが、比較的高い、例えば５０ボルトまたはそれ以上である用途においては、必須である。)
注目されるべきことは、レセプタクル１６のレセプタクル本体２２が、障壁５０ａ、５０ｂを装備することができることであり、さらに凹所５２ａ、５２ｂが、代りの実施例におけるプラグ１８のプラグ本体２８内に形成することができることである。
【００５９】
電力は、前に議論されたように、電力接点ストリップ３４、３６経由でコネクタシステム１０を介して移送される。この構成は、従来の中二階タイプの電気コネクタシステムに関する本質的な利点を有することができる。例えば、電力接点ストリップ３４、３６の使用は、電力が個々の接点を通って移送される従来の中二階タイプのコネクタシステムに関して、コネクタシステム１０の電圧および電流容量を実質的に増加すると確信される。
【００６０】
さらに、信号接点から離れて離間した１つまたはそれ以上の電力接点ストリップ介して電力を移送することは、コネクタシステム１０におけるように、電力電導通路における比較的に高い電圧によって引き起こされた信号低下の可能性を実質的に減少することができる。(コネクタシステム１０の信号接点２４、３２は、前に議論されたように、障壁５０ａ、５０ｂの使用を介して電力接点ストリップ３４、３６からさらに分離することができる。)
理解されるべきことは、例え、この発明の多くの特性および利点が先の記述で述べられたとしても、その開示は、単に例証であるに過ぎず、さらに、変更が、付属の請求項が表現される用語の広い一般的な意味によって示された最大の範囲に、この発明の原理内において詳細になされることである。例えば、信号接点２４、３２の数や、配置や構成のような、レセプタクル１６およびプラグ１８の特定の詳細は、典型的な目的のためだけに開示されてきている。この発明の原理は、事実上、あらゆるタイプの中二階タイプの電気コネクタに適用することができる。
【００６１】
コネクタシステム１０の代りの実施例が、図１０から１３に描かれる。代りの実施例は、３つの電力接点ストリップ１３４を有するレセプタクル１１６、および電力接点ストリップ１３６のうちの３つを有するプラグ１１８を有する。
【００６２】
プラグ１１８の本体１２８は、電力接点ストリップ１３４の各々の間で、さらには、各電力接点ストリップ１３４の間、および、電力接点ストリップ１３４と本体１２８に設置された複数の信号接点１３２との間で、それに形成された３つの障壁１５０を形成することができる。レセプタクル１１６の本体１２２は、レセプタクル１１６とプラグ１１８とが結合されるときに、障壁１５０を受けるためのそこに形成された４つの凹所１５２を有することができる。
【００６３】
コネクタシステム１０の他の代りの実施例は、図１４から１８に描かれている。
【００６４】
この代りの実施例は、電力接点ストリップ２３４を有するレセプタクル２１６と、電力接点ストリップ２３６を有するプラグ２１８とを有する。
【００６５】
プラグ２１８は、レセプタクル本体２２８と、電力接点ストリップ２３６とプラグ２１８の複数の信号接点２３２との間に位置した障壁２６０とを有する。レセプタクル２１６は、レセプタクル本体２２２と、電力接点ストリップ２３４とレセプタクル２１６の複数の信号接点２２４との間に位置した障壁２６２と有する。障壁２６０、２６２は、各々適切な誘電材料から形成され、さらに、信号接点２２４、２３２を電力接点ストリップ２３４、２３６から電気的に分離する(または、さらに分離する)と確信される。
【００６６】
電力接点ストリップ２３４は、各々、そこに形成された複数のスロット２６４を有する本体部分２３８を有する。このスロット２６４は、本体部分２３８からの熱の放散を強化し、したがって、電力接点ストリップ２３４の冷却を容易にすると確信される。電力接点ストリップ２３６は、各々、そこに形成された複数のスロット２６６を有する本体部分２４４を有する。スロット２６６は、本体部分２４４からの熱の放散を強化し、したがって、電力接点ストリップ２３６の冷却を容易にすると確信される。
【００６７】
さらに、この発明の原理は、電力接点ストリップ３４、３６のような、１対またはそれ以上の対の電力接点ストリップを使用する電力のみを導く中二階タイプのプラグおよびレセプタクル(図示せず)、すなわち、いかなる信号接点をも有していない中二階タイプのプラグおよびレセプタクルに適用することができる。
【図面の簡単な説明】
【００６８】
【図１】結合された状態の電気コネクタのレセプタクルおよびプラグとともに、第１および第２回路サブストレートに設置された中二階タイプの電気コネクタの好ましい実施例の概略的側面図。
【図２】図１に示されるレセプタクルの斜視図。
【図３】図２において「Ａ」と指定された領域の拡大図。
【図４】図1に示されるプラグの斜視図。
【図５】図４において「Ｂ」と指定された領域の拡大図。
【図６】図１において「Ｃ」と指定された領域の拡大図。
【図７】図１−３、および６に示されるレセプタクルの電力接点ストリップ、および結合されていない状態における図１および図４−６に示されるプラグの電力接点ストリップの斜視図。
【図８】プラグ内に設置された信号接点を描いている、図１および４−６に示されるプラグの信号接点の側面図。
【図９】レセプタクル内に設置された信号接点を描いている、図１−３および６に示されるレセプタクルの信号接点の側面図。
【図１０】図１−３および６に示されるレセプタクルの代りの実施例の斜視図。
【図１１】図１０において「Ｄ」と指定された領域の拡大図。
【図１２】図１および４−６に示されるプラグの代りの実施例の斜視図。
【図１３】図１２において「Ｅ」と指定された領域の拡大図。
【図１４】図１−３および６に示されるレセプタクルの他の代りの実施例の斜視図。
【図１５】図１４において「Ｆ」と指定された領域の拡大図。
【図１６】図１および４−６に示されるプラグの他の代りの実施例の斜視図。
【図１７】図１６において「Ｇ」と指定された領域の拡大図。
【図１８】結合された状態で示されるレセプタクルおよびプラグとともに、図１５において「Ｈ」と、さらに図１６において「Ｉ」と指定された領域の断面図。
【図１】
2007500415.tif 000003
【図２】
2007500415.tif 000004
【図３】
2007500415.tif 000005
【図４】
2007500415.tif 000006
【図５】
2007500415.tif 000007
【図６】
2007500415.tif 000008
【図７】
2007500415.tif 000009
【図８】
2007500415.tif 000010
【図９】
2007500415.tif 000011
【図１０】
2007500415.tif 000012
【図１１】
2007500415.tif 000013
【図１２】
2007500415.tif 000014
【図１３】
2007500415.tif 000015
【図１４】
2007500415.tif 000016
【図１５】
2007500415.tif 000017
【図１６】
2007500415.tif 000018
【図１７】
2007500415.tif 000019
【図１８】
2007500415.tif 000020
【国際調査報告】
2007500415.tif 000021